(57)【要約】  紙葉類収容装置（５）は、巻回された帯状材（１６）を供給する供給リール（１１）と、供給リール（１１）から供給された帯状材（１６）と共に紙葉類（２）が巻き付けられる巻取ドラム（１２）と、紙葉類（２）が搬入出される搬入出部（１３）と、搬入出部（１３）に配置され、帯状材（１６）を支持するプーリ（１８）が回転自在に設けられると共に、紙葉類（２）を搬送する搬送ローラ（２１）が固定された回転軸（１４）と、を有する。
2017203715.tif 000002
【特許請求の範囲】
【請求項１】
巻回された帯状材を供給する供給リールと、
前記供給リールから供給された前記帯状材と共に紙葉類が巻き付けられる巻取ドラムと、
前記紙葉類が搬入出される搬入出部と、
前記搬入出部に配置され、前記帯状材を支持するプーリが回転自在に設けられると共に、前記紙葉類を搬送する搬送ローラが固定された回転軸と、
を有する、紙葉類収容装置。
【請求項２】
前記供給リールを回転駆動するリール駆動機構と、
前記巻取ドラムを回転駆動するドラム駆動機構と、
前記回転軸を介して前記搬送ローラを回転駆動するローラ駆動機構と、
前記回転軸の近傍に配置され、前記紙葉類を検知する検知部と、
前記検知部の検知結果に基づいて前記リール駆動機構、前記ドラム駆動機構及び前記ローラ駆動機構を制御する制御部と、を更に有し、
前記制御部は、前記巻取ドラムから前記紙葉類を繰り出す動作または前記巻取ドラムに前記紙葉類を巻き取る動作の開始後から所定時間経過したときに前記検知部によって前記紙葉類を検知しない場合、及び前記検知部によって前記紙葉類の検知状態が所定時間継続する場合に、前記リール駆動機構、前記ドラム駆動機構及び前記ローラ駆動機構を制御することで、前記搬送ローラまたは前記プーリのいずれか一方のみを前記回転軸まわりに回転駆動させる、
請求項１に記載の紙葉類収容装置。
【請求項３】
前記制御部は、前記搬送ローラ及び前記プーリを互いに逆方向に交互に回転駆動させる第１動作を行う、
請求項２に記載の紙葉類収容装置。
【請求項４】
前記第１動作において、前記制御部は、前記搬送ローラ及び前記プーリをそれぞれ前記逆方向に交互に回転駆動させた後、更に前記搬送ローラまたは前記プーリのいずれか一方を、前記逆方向に回転駆動させた回転方向とは逆方向へ回転駆動させる、請求項３に記載の紙葉類収容装置。
【請求項５】
前記第１動作後、前記制御部は、前記検知部によって前記紙葉類の検知状態が継続する場合、前記搬送ローラ及び前記プーリを互いに同一方向に交互に回転駆動させる第２動作を行う、
請求項４に記載の紙葉類収容装置。
【請求項６】
前記第１動作において、
前記搬送ローラは、前記巻取ドラムから前記紙葉類を繰り出す方向へ回転駆動され、
前記プーリは、前記巻取ドラムに前記帯状材を巻き取る方向へ回転駆動される、
請求項３に記載の紙葉類収容装置。
【請求項７】
前記制御部は、前記第２動作後、前記第１動作を再度行う、
請求項５に記載の紙葉類収容装置。
【請求項８】
紙幣収容装置に対して紙葉類が搬入出される搬入出部に配置され、供給リールから供給された帯状材を支持するプーリが回転自在に設けられると共に、前記帯状材と共に前記紙葉類が巻き付けられる巻取ドラムに対して前記紙葉類を搬送する搬送ローラが固定された回転軸を用いて、
前記巻取ドラムから前記紙葉類を繰り出す動作または前記巻取ドラムに前記紙葉類を巻き取る動作の開始後から所定時間経過したときに前記紙葉類を検知する検知部によって前記紙葉類を検知しない場合、及び前記検知部によって前記紙葉類の検知状態が所定時間継続する場合に、前記搬送ローラまたは前記プーリのいずれか一方のみを前記回転軸まわりに回転駆動させる、
紙葉類収容装置の制御方法。
【発明の詳細な説明】
【技術分野】
【０００１】
本発明は、紙葉類収容装置及び紙葉類収容装置の制御方法に関する。
【背景技術】
【０００２】
ＡＴＭ（Automated  Teller  Machine）が有する紙幣取扱装置は、入金された紙幣を一時的に収容する紙幣収容装置を含む。この種の紙幣収容装置としては、供給リールから供給されたテープと共に紙幣を巻き取りドラムに巻き付けることによって、紙幣を収容する構成が知られている。
【先行技術文献】
【特許文献】
【０００３】
【特許文献１】特開２０１３−１９９３６５号公報
【特許文献２】特開２００１−１２２４７０号公報
【発明の概要】
【発明が解決しようとする課題】
【０００４】
ところで、上述した紙幣収容装置では、搬送ローラによって紙幣が搬送される搬送路と、紙幣収容装置とが分離しており、搬送路と、搬送路から紙幣収容装置内に紙幣が搬入出される搬入出部との間に間隙が生じていた。このため、紙幣収容装置では、紙幣の巻取り時及び繰出し時に、紙幣が詰まる紙詰まり（以下、ジャムと称する）が発生したときに、搬送路と搬入出部との間隙に紙幣がとどまる場合があった。この間隙に紙幣がとどまった場合には、搬送路の搬送ローラや、紙幣収容装置のテープで紙幣を移動させることが難しく、ジャムを解消することが困難であった。また、紙幣収容装置では、ジャムを解消するときに、ジャムを起こした紙幣に無理な力が加わることや、ジャムを起こした紙幣にテープが巻き込まれることで、紙幣やテープを破損するおそれもあった。【０００５】
開示の技術は、上記に鑑みてなされたものであって、紙葉類のジャムの解消動作の信頼性を高めることができる紙葉類収容装置及び紙葉類収容装置の制御方法を提供することを目的とする。
【課題を解決するための手段】
【０００６】
本願の開示する紙葉類収容装置の一態様は、巻回された帯状材を供給する供給リールと、前記供給リールから供給された前記帯状材と共に紙葉類が巻き付けられる巻取ドラムと、前記紙葉類が搬入出される搬入出部と、前記搬入出部に配置され、前記帯状材を支持するプーリが回転自在に設けられると共に、前記紙葉類を搬送する搬送ローラが固定された回転軸と、を有する。
【発明の効果】
【０００７】
本願の開示する紙葉類収容装置の一態様によれば、紙葉類のジャムの解消動作の信頼性を高めることができる。
【図面の簡単な説明】
【０００８】
【図１】図１は、実施例の紙幣収容装置を含む紙幣取扱装置全体を示す模式図である。
【図２】図２は、実施例の紙幣収容装置を示す斜視図である。
【図３】図３は、実施例の紙幣収容装置において、プーリ及び搬送ローラが設けられた回転軸を示す斜視図である。
【図４】図４は、実施例の紙幣収容装置において、プーリ及び搬送ローラが設けられた回転軸を紙幣の搬送方向から示す正面図である。
【図５Ａ】図５Ａは、実施例の紙幣収容装置の巻取ドラムの初期状態を模式的に示す側面図である。
【図５Ｂ】図５Ｂは、実施例の紙幣収容装置の巻取ドラムに紙幣が巻き取られた状態を模式的に示す側面図である。
【図６】図６は、実施例の紙幣収容装置において、紙幣の繰り出し時に生じたジャムを解消する動作を説明するためのフローチャートである。
【図７】図７は、実施例の紙幣収容装置において、紙幣の巻き取り時に生じたジャムを解消する動作を説明するためのフローチャートである。
【発明を実施するための形態】
【０００９】
以下に、本願の開示する紙葉類収容装置及び紙葉類収容装置の制御方法の実施例を図面に基づいて詳細に説明する。なお、以下の実施例によって、本願の開示する紙葉類収容装置及び紙葉類収容装置の制御方法が限定されるものではない。
【実施例】
【００１０】
［紙幣取扱装置の構成］
図１は、実施例の紙幣収容装置を含む紙幣取扱装置全体を示す模式図である。図１に示すように、実施例に係る紙幣取扱装置１は、紙幣２を入出金する入出金部３と、入出金部３に入金された紙幣２の真贋等を鑑別する鑑別部４と、鑑別部４から搬送された紙幣２を一時的に収容する一時収容部５と、を備える。また、紙幣取扱装置１は、一時収容部５から送られた紙幣２を格納する複数の格納部６と、紙幣２を搬送する搬送機構７と、各部３、４、５、６、７をそれぞれ制御する制御部８と、を備える。搬送機構７は、各部３、４、５、６の間で紙幣２を搬送する搬送路７ａを有する。このような紙幣取扱装置１に組み込まれた一時収容部５が、実施例の紙幣収容装置に相当する。本実施例では、紙葉類の一例として紙幣２を用いるが、紙幣に限定するものではない。紙葉類には、例えば、手形、小切手、商品券、各種証券、株券等の有価証券も含まれる。【００１１】
［紙幣収容装置の構成］
図２は、実施例の紙幣収容装置を示す斜視図である。図３は、実施例の紙幣収容装置において、プーリ及び搬送ローラが設けられた回転軸を示す斜視図である。図４は、実施例の紙幣収容装置において、プーリ及び搬送ローラが設けられた回転軸を紙幣の搬送方向から示す正面図である。【００１２】
図２に示すように、実施例の紙幣収容装置５は、二組の供給リール１１と、巻取ドラム１２と、搬入出部１３と、回転軸１４と、を有する。図２において、説明の便宜上、搬入出部１３に対して紙幣２が出入りする方向をＸ方向、巻取ドラム１２の軸方向をＹ方向、図２に示した紙幣収容装置５の上下方向をＺ方向と称する。図３以降においても、図２と同様にＸ、Ｙ、Ｚ方向を示す。【００１３】
各供給リール１１は、巻回された帯状材としてのテープ１６を供給する。二組の供給リール１１において、巻取ドラム１２の下方に配置される２つの供給リール１１は、共通のリール軸１７上に支持されており、巻取ドラム１２の軸方向に所定の間隔をあけて配置されている。同様に、巻取ドラム１２の上方に配置される２つの供給リール１１は、共通のリール軸１７上に支持されており、巻取ドラム１２の軸方向に所定の間隔をあけて配置されている。各供給リール１１から巻取ドラム１２までの間には、テープ１６の走行経路が構成されており、テープ１６の走行経路上に複数のプーリ１８が配置されている。各プーリ１８は、支軸等に回転自在に支持されており、テープ１６を走行経路に沿って移動自在に支持している。また、各供給リール１１は、リール軸１７にトルクリミッタ（図示せず）を介して支持されており、テープ１６に生じる張力が所定の張力以下に規制されている。【００１４】
巻取ドラム１２は、支軸１９に支持されている。巻取ドラム１２には、各供給リール１１から供給されたテープ１６と共に紙幣２が巻き付けられる。詳細には、巻取ドラム１２の上方を通って送られた２つのテープ１６と、巻取ドラム１２の下方を通って送られた２つのテープ１６との間に紙幣２を挟み込むことで、各テープ１６間に紙幣２が保持された状態で、テープ１６と共に紙幣２が巻取ドラム１２に巻き付けられる。【００１５】
搬入出部１３は、図１に示すように、搬送路７ａに隣接して設けられており、搬送路７ａと紙幣収容装置５との間で紙幣２が搬入出される。回転軸１４は、搬入出部１３に配置されており、テープ１６を支持する複数のプーリ１８が回転自在に設けられると共に、巻取ドラム１２に対して紙幣２を搬送する複数の搬送ローラ２１が固定されている。また、回転軸１４の一端には、後述するローラ駆動機構３３によって回転軸１４を回転駆動するために、例えば駆動ベルトが掛けられるプーリ等の駆動伝達部材２３が固定されている。【００１６】
プーリ１８は、例えばベアリング等の軸受部材（図示せず）を介して、回転軸１４に回転自在に支持されている。搬送ローラ２１は、回転軸１４の軸方向（Ｙ方向）におけるプーリ１８の両側に隣接してそれぞれ配置されている。搬送ローラ２１の直径は、例えばプーリ１８の直径よりもやや大きく設定されている。搬送ローラ２１としては、例えばゴムローラが用いられている。【００１７】
また、搬入出部１３には、図３及び図４に示すように、回転軸１４に支持された各プーリ１８及び搬送ローラ２１とそれぞれ対をなすように、Ｚ方向において対向する位置に、プーリ１８及び従動ローラ２２がそれぞれ設けられている。プーリ１８及び従動ローラ２２は、例えばベアリング等の軸受部材（図示せず）を介して、支軸２４に回転自在に支持されている。搬入出部１３近傍には、支持ステー２５が固定されており、支持ステー２５に、支軸２４の両端が支持されている。従動ローラ２２は、搬送ローラ２１が回転することで、搬送ローラ２１と連れまわりする。【００１８】
また、回転軸１４は、図３に示すように、搬入出部１３から搬入された紙幣２を巻取ドラム１２へ巻き取る場合、Ａ方向に回転されることで、紙幣２を巻取ドラム１２に巻き取る方向（以下、巻き取り方向と称する）に搬送ローラ２１が回転される。一方、回転軸１４は、巻取ドラム１２に巻き取られた紙幣２を搬入出部１３から搬出する場合、Ｂ方向に回転されることで、紙幣２を巻取ドラム１２から繰り出す方向（以下、繰り出し方向と称する）に搬送ローラ２１が回転される。【００１９】
なお、実施例では、プーリ１８及び搬送ローラ２１が設けられた回転軸１４を１つのみ有して構成されたが、プーリ１８及び搬送ローラ２１が設けられた回転軸１４が対をなすように２つの回転軸を有して構成されてもよい。また、実施例では、上下方向（Ｚ方向）における上方に搬送ローラ２１を支持する回転軸１４が配置され、下方に従動ローラ２２を支持する支持ステー２５が配置されたが、この構成に限定されるものではなく、上下逆に配置されてもよい。【００２０】
また、実施例では、帯状材の一例として幅狭なテープ１６を用いるが、テープに限定するものではない。また、実施例では、樹脂フィルムからなるテープ１６が用いられるが、これに限定するものではなく、必要に応じて他の材料からなるテープが用いられてもよい。【００２１】
また、図２に示すように、紙幣収容装置５は、供給リール１１を回転駆動するリール駆動機構３１と、巻取ドラム１２を回転駆動するドラム駆動機構３２と、回転軸１４を介して搬送ローラ２１を回転駆動するローラ駆動機構３３と、を有する。リール駆動機構３１、ドラム駆動機構３２及びローラ駆動機構３３は、制御部８にそれぞれ電気的に接続されている。リール駆動機構３１とドラム駆動機構３２は、回転速度が異なっており、テープ１６に一定の張力を付与した状態で巻き取り動作及び繰り出し動作を行う。【００２２】
また、ローラ駆動機構３３は、搬送路７ａを駆動する搬送機構７と連動して駆動される。本実施例において、リール駆動機構３１とローラ駆動機構３３は、共通の駆動モータ（図示せず）によって駆動され、切換ギア等を介して個々に逆転可能に構成されている。なお、この構成に限定されるものではなく、リール駆動機構３１とローラ駆動機構３３は、それぞれ独立した駆動モータによって駆動されてもよい。また、ローラ駆動機構３３は、搬送機構７を駆動する駆動モータによって駆動されてもよい。【００２３】
また、紙幣収容装置５は、紙幣２を検知する検知部としての位置センサ３５を有する。位置センサ３５は、回転軸１４の近傍に配置されており、搬入出部１３を通過する紙幣２を検知する。位置センサ３５は、制御部８に接続されている。制御部８は、位置センサ３５の検知結果に基づいてリール駆動機構３１、ドラム駆動機構３２及びローラ駆動機構３３を制御する。【００２４】
実施例では、位置センサ３５が、紙幣収容装置５に対して紙幣２が出入りする搬入出部１３の近傍に配置されている。位置センサ３５は、例えば、図２及び図５Ａ、図５Ｂに示すように、検知光を発する発光部３５ａと、発光部３５ａが発した検知光を受光する受光部３５ｂと、を有する。【００２５】
実施例において、発光部３５ａと受光部３５ｂは、搬入出部１３を通過する紙幣２の厚み方向（Ｚ方向）において、対向して配置されたが、この構成に限定されるものではない。発光部３５ａと受光部３５ｂは、例えば、紙幣２の搬送方向に沿う同一面上に配置されてもよい。この構成の場合、搬入出部１３を通過する紙幣２の厚み方向における一方側に発光部３５ａ及び受光部３５ｂがそれぞれ配置され、紙幣２の厚み方向における他方側に、発光部３５ａが発した検知光を反射及び導光して受光部３５ｂへ検出光を反射する光学部材（図示せず）が配置されてもよい。【００２６】
また、位置センサ３５は、回転軸１４に対して巻取ドラム１２とは反対側、すなわち紙幣収容装置５に紙幣２を搬送する搬送路７ａ側に配置されたが、回転軸１４に対して巻取ドラム１２側、すなわち紙幣収容装置５の内方へ配置されてもよい。【００２７】
制御部８は、巻取ドラム１２から紙幣２を繰り出す動作または巻取ドラム１２に紙幣２を巻き取る動作の開始後から所定時間経過したときに位置センサ３５によって紙幣２を検知しない場合、及び位置センサ３５によって紙幣２の検知状態が所定時間継続する場合に、紙幣２のジャムが発生したと判断する。制御部８は、紙幣２のジャムが発生したと判断した場合、リール駆動機構３１、ドラム駆動機構３２及びローラ駆動機構３３を制御することで、搬送ローラ２１またはプーリ１８のいずれか一方のみを回転軸１４まわりに回転駆動させる。【００２８】
すなわち、制御部８は、リール駆動機構３１及びドラム駆動機構３２を駆動することで、巻取ドラム１２にテープ１６が巻き取られる方向（巻き取り方向）または巻取ドラム１２に巻き取られたテープ１６を繰り出す方向（繰り出し方向）にテープ１６が送られ、テープ１６と共にプーリ１８が回転軸１４に対して回転される。また、制御部８は、ローラ駆動機構３３を駆動することで、巻取ドラム１２に紙幣２が巻き取られる方向（巻き取り方向）または巻取ドラム１２に巻き取られた紙幣２を繰り出す方向（繰り出し方向）に紙幣２が送られ、搬送ローラ２１が回転軸１４と共に回転される。【００２９】
なお、本実施例の紙幣収容装置５は、巻取ドラム１２の軸方向に並んだ上下二組の供給リール１１から供給されるテープ１６を用いて紙幣２を巻取ドラム１２に巻き付けるように構成されたが、テープ１６の個数を限定するものではない。紙幣収容装置５は、上下一組の供給リール１１から供給されるテープ１６を用いて紙幣２を巻取ドラム１２に巻き付けるように構成されてもよい。【００３０】
［紙幣の収容動作］
図５Ａは、実施例の紙幣収容装置５の巻取ドラム１２の初期状態を模式的に示す側面図である。図５Ｂは、実施例の紙幣収容装置５の巻取ドラム１２に紙幣２が巻き取られた状態を模式的に示す側面図である。【００３１】
紙幣収容装置５は、図５Ａに示すように、巻取ドラム１２に紙幣２が巻き取られていない初期状態から、巻取ドラム１２にテープ１６と共に紙幣２が巻き付けられるに従って、図５Ｂに示すように、巻取ドラム１２全体の直径が徐々に大きくなる。図５Ａに示すように、搬送路７ａから、紙幣収容装置５の搬入出部１３へ搬入された紙幣２は、位置センサ３５を通過しながら、回転軸１４に固定された搬送ローラ２１と、支持ステー２５の支軸２４に支持された従動ローラ２２とに挟持されて送られる。搬送ローラ２１と従動ローラ２２によって送られた紙幣２は、各供給リール１１から供給されたテープ１６の間に挟まれて送られ、テープ１６と共に巻取ドラム１２の周方向に沿って収容される。【００３２】
［ジャムの解消動作］
図６は、実施例の紙幣収容装置５において、紙幣２の繰り出し時に生じたジャムを解消する動作を説明するためのフローチャートである。図７は、実施例の紙幣収容装置５において、紙幣２の巻き取り時に生じたジャムを解消する動作を説明するためのフローチャートである。【００３３】
制御部８は、上述したように、位置センサ３５の検知結果に基づいて紙幣２のジャムが発生しているか否かを判断する。制御部８は、紙幣２のジャムが発生していると判断した場合、搬送ローラ２１またはプーリ１８のいずれか一方のみを回転軸１４まわりに回転駆動させることで、ジャムの解消動作を開始する。まず、巻取ドラム１２に巻き取られた紙幣２を、紙幣収容装置５から繰り出すときにジャムが発生した場合について説明する。【００３４】
制御部８は、紙幣２のジャムが発生していると判断した場合、図６に示すように、位置センサ３５による紙幣２の検知状態が継続しているか否か、すなわち、位置センサ３５上でジャムが発生しているか否かを判断する（ステップＳ１）。制御部８は、位置センサ３５上でジャムが発生していると判断したとき、ローラ駆動機構３３によって回転軸１４をＢ方向（図３参照）に回転駆動することで、搬送ローラ２１を繰り出し方向に回転駆動させる（ステップＳ２）。【００３５】
紙幣２の繰り出し時にジャムが発生したとき、搬送路７ａまで正常に繰り出された紙幣２が紙幣収容装置５内に戻ることを避け、搬送路７ａ内の紙幣２を搬送させることが好ましい。このため、紙幣２の繰り出し時に位置センサ３５上でジャム、つまり搬入出部１３近傍でジャムが発生した場合には、ステップＳ２に示すように、一旦、搬送ローラ２１を繰り出し方向に回転させる。【００３６】
続いて、制御部８は、リール駆動機構３１及びドラム駆動機構３２によってテープ１６を巻き取り方向に駆動する（ステップＳ３）。これにより、制御部８は、テープ１６と共にプーリ１８を回転軸１４まわりにＡ方向（図３参照）に回転させる。このとき、プーリ１８は、ステップＳ２における搬送ローラ２１の回転方向とは逆方向に回転される。【００３７】
更に続いて、制御部８は、リール駆動機構３１及びドラム駆動機構３２によってテープ１６を繰り出し方向に駆動する（ステップＳ４）。これにより、制御部８は、テープ１６と共にプーリ１８を回転軸１４まわりにＢ方向（図３参照）に回転させる。したがって、プーリ１８は、ステップＳ３におけるプーリ１８の回転方向とは逆方向に回転される。【００３８】
このように紙幣２の繰り出し時に位置センサ３５上でジャムが発生している場合、制御部８は、ジャムを解消するための第１動作として、図６中のステップＳ２〜ステップＳ４において搬送ローラ２１及びプーリ１８（テープ１６）をそれぞれ交互に逆方向に回転駆動させる。制御部８は、第１動作を行うことで、搬入出部１３近傍でジャムを起こしている紙幣２に異なる外力を加えることにより、ジャムを起こしている紙幣２に変化を与えて、ジャムの解消を図る。ステップＳ２〜ステップＳ４の第１動作を行った後、制御部８は、ジャムが解消したか否かを判断する（ステップＳ５）。【００３９】
一方、上述したステップＳ１において、制御部８は、位置センサ３５上でジャムが発生していないと判断したとき、リール駆動機構３１及びドラム駆動機構３２によってテープ１６を巻き取り方向に駆動する（ステップＳ６）。これにより、制御部８は、テープ１６と共にプーリ１８を回転軸１４まわりにＡ方向（図３参照）に回転させる。【００４０】
このように位置センサ３５上でジャムが発生しておらず、巻取ドラム１２の周囲でジャムが発生している場合には、テープ１６のたるみを解消することが好ましい。このため、紙幣２の繰り出し時に位置センサ３５上でジャムが発生していない場合、つまり巻取ドラム１２の周囲でジャムが発生した場合には、制御部８は、一旦、テープ１６を巻き取り方向に駆動させる。【００４１】
続いて、制御部８は、ローラ駆動機構３３によって回転軸１４をＢ方向（図３参照）に回転駆動することで、搬送ローラ２１を繰り出し方向に回転駆動させる（ステップＳ７）。このとき、搬送ローラ２１は、ステップＳ６におけるプーリ１８の回転方向とは逆方向に回転される。【００４２】
更に続いて、制御部８は、リール駆動機構３１及びドラム駆動機構３２によってテープ１６を繰り出し方向に駆動する（ステップＳ８）。これにより、制御部８は、テープ１６と共にプーリ１８を回転軸１４まわりにＢ方向（図３参照）に回転させる。したがって、プーリ１８は、ステップＳ６におけるプーリ１８の回転方向とは逆方向に回転される。【００４３】
このように紙幣２の繰り出し時に位置センサ３５上でジャムが発生していない場合、制御部８は、ジャムを解消するための第１動作として、図６中のステップＳ６〜ステップＳ８において搬送ローラ２１及びプーリ１８（テープ１６）をそれぞれ交互に逆方向に回転駆動させる。制御部８は、第１動作を行うことで、巻取ドラム１２の周囲でジャムを起こしている紙幣２に異なる外力を加えることで、ジャムの解消を図る。ステップＳ６〜ステップＳ８の第１動作を行った後、制御部８は、ジャムが解消したか否かを判断する（ステップＳ５）。【００４４】
上述したステップＳ５において、制御部８は、ジャムが解消したと判断したとき、ジャムの解消動作を終了する。一方、制御部８は、位置センサ３５の検知結果に基づいてジャムが解消していないと判断したとき、リール駆動機構３１及びドラム駆動機構３２によってテープ１６を巻き取り方向に駆動する（ステップＳ９）。これにより、制御部８は、テープ１６と共にプーリ１８を回転軸１４まわりにＡ方向（図３参照）に回転させる。【００４５】
続いて、制御部８は、ローラ駆動機構３３によって回転軸１４をＡ方向（図３参照）に回転駆動することで、搬送ローラ２１を巻き取り方向に回転駆動させる（ステップＳ１０）。このとき、搬送ローラ２１は、ステップＳ９におけるプーリ１８の回転方向とは同一方向に回転される。【００４６】
このように制御部８は、第１動作後、紙幣２の繰り出し時に発生したジャムが解消されなかった場合、ジャムを解消するための第２動作として、図６中のステップＳ９及びステップＳ１０において搬送ローラ２１及びプーリ１８（テープ１６）をそれぞれ交互に同一方向に回転駆動させる。制御部８は、第２動作を行うことで、ジャムを起こしている紙幣２に異なる外力を加えることにより、紙幣２に変化を与えて、ジャムの解消を図る。すなわち、紙幣２の繰り出し時に発生したジャムが、第１動作によって解消しない場合、制御部８は、第２動作として、巻取ドラム１２に紙幣２を巻き取る動作を行うことでジャムの解消を図る。【００４７】
ステップＳ９及びステップＳ１０の第２動作を行った後、制御部８は、ステップＳ２へ移り、再度、第１動作を繰り返す。以降、ステップＳ５において、制御部８が、ジャムが解消したと判断するまで、第１動作、第２動作を交互に繰り返す。【００４８】
なお、第１動作、第２動作を所定の回数だけ繰り返した後、制御部８は、ジャムが解消したと判断しない場合、つまりジャムが解消されない場合、ジャムの解消動作を終了するように制御を行ってもよい。また、第２動作後、制御部８は、ジャムが解消されたか否かを判断し、ジャムが解消されていない場合のみ、第１動作を繰り返すように制御を行ってもよい。【００４９】
つぎに、紙幣収容装置５に紙幣２を収容する際、巻取ドラム１２に紙幣２を巻き取るときにジャムが生じた場合について説明する。制御部８は、紙幣２のジャムが発生していると判断した場合、図７に示すように、位置センサ３５による紙幣２の検知状態が継続しているか否か、すなわち、位置センサ３５上でジャムが発生しているか否かを判断する（ステップＳ２１）。【００５０】
制御部８は、位置センサ３５上でジャムが発生していると判断したとき、リール駆動機構３１及びドラム駆動機構３２によってテープ１６を巻き取り方向に駆動する（ステップＳ２２）。これにより、制御部８は、テープ１６と共にプーリ１８を回転軸１４まわりにＡ方向（図３参照）に回転させる。これにより、テープ１６のたるみを解消する。【００５１】
続いて、制御部８は、ローラ駆動機構３３によって回転軸１４をＢ方向（図３参照）に回転駆動することで、搬送ローラ２１を繰り出し方向に回転駆動させる（ステップＳ２３）。このとき、搬送ローラ２１は、ステップＳ２２におけるプーリ１８の回転方向とは逆方向に回転される。【００５２】
紙幣２の巻き取り時にジャムが発生したとき、搬入出部１３までの搬送路７ａ内に紙幣２を戻すスペースが残されている可能性が高く、位置センサ３５上でジャムを起こした紙幣２を、搬入出部１３から搬送路７ａ側へ戻すことが好ましい。このため、制御部８は、ステップＳ２３に示すように、一旦、搬送ローラ２１を繰り出し方向に回転させる。【００５３】
更に続いて、制御部８は、ローラ駆動機構３３によって回転軸１４をＡ方向（図３参照）に回転駆動することで、搬送ローラ２１を巻き取り方向に回転駆動させる（ステップＳ２４）。これにより、制御部８は、ジャムを起こした紙幣２を巻取ドラム１２に巻き取る。したがって、搬送ローラ２１は、ステップＳ２３における搬送ローラ２１の回転方向とは逆方向に回転される。【００５４】
このように紙幣２の巻き取り時に位置センサ３５上でジャムが発生している場合、制御部８は、ジャムを解消するための第１動作として、図７中のステップＳ２２〜ステップＳ２４において搬送ローラ２１及びプーリ１８（テープ１６）をそれぞれ交互に逆方向に回転駆動させる。制御部８は、第１動作を行うことで、搬入出部１３近傍でジャムを起こしている紙幣２に異なる外力を加えることにより、紙幣２に変化を与えて、ジャムの解消を図る。ステップＳ２２〜ステップＳ２４の第１動作を行った後、制御部８は、ジャムが解消したか否かを判断する（ステップＳ２５）。【００５５】
一方、上述したステップＳ２１において、制御部８は、位置センサ３５上でジャムが発生していないと判断したとき、紙幣収容装置５の搬入出部１３へ紙幣２を搬送する搬送路７ａ上でジャムが発生したことになる。このため、紙幣収容装置５では、ジャムの解消動作を行わず、搬送機構７によって搬送路７ａ上で発生したジャムの解消動作を行う。【００５６】
上述したステップＳ２５において、制御部８は、ジャムが解消したと判断したとき、ジャムの解消動作を終了する。一方、制御部８は、位置センサ３５の検知結果に基づいてジャムが解消していないと判断したとき、ローラ駆動機構３３によって回転軸１４をＢ方向（図３参照）に回転駆動することで、搬送ローラ２１を繰り出し方向に回転駆動させる（ステップＳ２７）。【００５７】
続いて、制御部８は、リール駆動機構３１及びドラム駆動機構３２によってテープ１６を繰り出し方向に駆動する（ステップＳ２８）。これにより、制御部８は、テープ１６と共にプーリ１８を回転軸１４まわりにＢ方向（図３参照）に回転させる。このとき、プーリ１８は、ステップＳ２７における搬送ローラ２１の回転方向とは同一方向に回転される。【００５８】
このように制御部８は、第１動作後、紙幣２の巻き取り時に発生したジャムが解消されなかった場合、ジャムを解消するための第２動作として、図７中のステップＳ２７及びステップＳ２８において搬送ローラ２１及びプーリ１８（テープ１６）をそれぞれ交互に同一方向に回転駆動させる。制御部８は、第２動作を行うことで、ジャムを起こしている紙幣２に異なる外力を加えることにより、紙幣２に変化を与えて、ジャムの解消を図る。すなわち、紙幣２の巻き取り時に発生したジャムが、第１動作によって解消しない場合、制御部８は、第２動作として、巻取ドラム１２から紙幣２を繰り出す動作を行うことでジャムの解消を図る。【００５９】
ステップＳ２７及びステップＳ２８の第２動作を行った後、制御部８は、ステップＳ２２へ移り、再度、第１動作を繰り返す。以降、ステップＳ２５において、制御部８が、ジャムが解消したと判断するまで、第１動作、第２動作を交互に繰り返す。【００６０】
なお、紙幣２の巻取り時のジャムの解消動作においても、第１動作、第２動作を所定の回数だけ繰り返した後、制御部８は、ジャムが解消したと判断しない場合、つまりジャムが解消されない場合、ジャムの解消動作を終了するように制御を行ってもよい。また、第２動作後、制御部８は、ジャムが解消されたか否かを判断し、ジャムが解消されていない場合のみ、第１動作を繰り返すように制御を行ってもよい。【００６１】
［紙幣収容装置の制御方法］
以上のように構成された紙幣収容装置５の制御方法は、紙幣収容装置５に対して紙幣２が搬入出される搬入出部１３に配置され、供給リール１１から供給されたテープ１６を支持するプーリ１８が回転自在に設けられると共に、テープ１６と共に紙幣２が巻き付けられる巻取ドラム１２に対して紙幣２を搬送する搬送ローラ２１が固定された回転軸１４を用いる。この制御方法では、巻取ドラム１２から紙幣２を繰り出す動作または巻取ドラム１２に紙幣２を巻き取る動作の開始後から所定時間経過したときに紙幣２を検知する位置センサ３５によって紙幣２を検知しない場合、及び位置センサ３５によって紙幣２の検知状態が所定時間継続する場合に、搬送ローラ２１またはプーリ１８のいずれか一方のみを回転軸１４まわりに回転駆動させる。【００６２】
実施例の紙幣収容装置５は、搬入出部１３に配置された回転軸１４を有し、回転軸１４に、テープ１６を支持するプーリ１８が回転自在に設けられると共に紙幣２を搬送する搬送ローラ２１が固定されている。これにより、関連技術のように搬送機構７の搬送路７ａと紙幣収容装置５との連結部分に紙幣２の搬送が困難な間隙、すなわち紙幣２が搬送ローラ２１に到達しない範囲が生じることを避けることができる。また、紙幣収容装置５では、搬送ローラ２１及びプーリ１８が回転軸１４まわりにそれぞれ独立して回転駆動可能になることで、互いに逆方向に回転させることが可能になるので、ジャム状態の紙幣２に変化を与えやすい。その結果、紙幣収容装置５は、紙幣２の繰り出し時及び巻き取り時に発生したジャムを解消する確率が高められるので、ジャムの解消動作の信頼性を高めることができる。【００６３】
また、実施例における紙幣収容装置５は、位置センサ３５の検知結果に基づいてリール駆動機構３１、ドラム駆動機構３２及びローラ駆動機構３３を制御する制御部８を有する。制御部８は、巻取ドラム１２から紙幣２を繰り出す動作または巻取ドラム１２に紙幣２を巻き取る動作の開始後から所定時間経過したときに位置センサ３５によって紙幣２を検知しない場合、及び位置センサ３５によって紙幣２の検知状態が所定時間継続する場合に、リール駆動機構３１、ドラム駆動機構３２及びローラ駆動機構３３を制御することで、搬送ローラ２１またはプーリ１８のいずれか一方のみを回転軸１４まわりに回転駆動させる。これにより、ジャム状態の紙幣２に変化を与えることで、ジャムをスムースに解消することができる。【００６４】
また、紙幣収容装置５が有する制御部８は、搬送ローラ２１及びプーリ１８を互いに逆方向に交互に回転駆動させる第１動作を行う。これにより、ジャム状態の紙幣２に変化を効果的に与えることが可能になり、ジャムをスムースに解消することができる。【００６５】
また、紙幣収容装置５が有する制御部８は、第１動作において、搬送ローラ２１及びプーリ１８をそれぞれ逆方向に交互に回転駆動させた後、更に搬送ローラ２１またはプーリ１８のいずれか一方を、逆方向に回転駆動させた回転方向とは逆方向へ回転駆動させる。これにより、ジャム状態の紙幣２に変化を効果的に与えることが可能になり、ジャムをスムースに解消することができる。【００６６】
また、紙幣収容装置５が有する制御部８は、第１動作後、位置センサ３５によって紙幣２の検知状態が継続する場合、搬送ローラ２１及びプーリ１８を互いに同一方向に交互に回転駆動させる第２動作を行う。これにより、第１動作でジャムが解消されなかった場合であっても、ジャム状態の紙幣２に変化を効果的に与えることが可能になり、ジャムをスムースに解消することができる。【００６７】
また、紙幣収容装置５では、制御部８により、第１動作において、制御部８により、搬送ローラ２１が、巻取ドラム１２から紙幣２を繰り出す方向へ回転駆動され、プーリ１８が、巻取ドラム１２にテープ１６を巻き取る方向へ回転駆動される。これにより、巻取ドラム１２から紙幣２を繰り出すと共に巻取ドラム１２の周囲でのテープ１６のたるみが解消され、巻取ドラム１２の周囲で発生したジャムをスムースに解消することができる。【００６８】
また、紙幣収容装置５が有する制御部８は、第２動作後、第１動作を再度行う。これにより、ジャム状態の紙幣２に繰り返し変化を与えることで、ジャムを解消する確率が高められ、ジャムの解消動作の信頼性を高めることが可能になる。
【符号の説明】
【００６９】
１  紙幣取扱装置
２  紙幣（紙葉類）
５  紙幣収容装置（一時収容部）
８  制御部
１１  供給リール
１２  巻取ドラム
１３  搬入出部
１４  回転軸
１６  テープ（帯状材）
１８  プーリ
２１  搬送ローラ
３１  リール駆動機構
３２  ドラム駆動機構
３３  ローラ駆動機構
３５  位置センサ（検出部）
【図１】
2017203715.tif 000003
【図２】
2017203715.tif 000004
【図３】
2017203715.tif 000005
【図４】
2017203715.tif 000006
【図５Ａ】
2017203715.tif 000007
【図５Ｂ】
2017203715.tif 000008
【図６】
2017203715.tif 000009
【図７】
2017203715.tif 000010
【国際調査報告】
2017203715.tif 000011
2017203715.tif 000012
2017203715.tif 000013
2017203715.tif 000014